(57)【要約】【課題】折り畳みができる構造でありながら必要とされる衝撃吸収性能を確保することのできる折り畳みヘルメットを提供する。【解決手段】折り畳みヘルメットは、帽体１０の入口である開放部１１を含む環状の分割体１００と、帽体１０の頂部１２を含む椀状の分割体４００と、開放部１１を含む環状の分割体１００と頂部１２を含む椀状の分割体４００との間に配置される環状の分割体２００，３００とを備える。隣接する分割体の間には、それら隣接する分割体を回動可能に連結する連結部２０，３０，４０と、それら隣接する分割体の相対位置を固定する係止部とが設けられ、隣接する分割体のうち、頂部側の分割体は、開放部側の分割体に対する係止部による固定が解除されることで、その一部が開放部側の分割体の環状の内部に回動収納される。【選択図】図１
2014234562.tif 000002
【特許請求の範囲】
【請求項１】
複数の分割体により組み立てられる中空半球状の帽体を含む折り畳みヘルメットであって、
前記複数の分割体は、前記帽体の入口である開放部を含む環状の分割体と、前記帽体の頂部を含む椀状の分割体と、前記開放部を含む環状の分割体と前記頂部を含む椀状の分割体との間に配置される環状の分割体とを備え、
前記複数の分割体のうち隣接する分割体の間には、それら隣接する分割体を回動可能に連結する連結部と、それら隣接する分割体の相対位置を固定する係止部とが設けられ、
前記隣接する分割体のうち、頂部側の分割体は、前記開放部側の分割体に対する前記係止部による固定が解除されることで、その一部が前記開放部側の分割体の環状の内部に回動収納される
ことを特徴とする折り畳みヘルメット。
【請求項２】
前記開放部を含む環状の分割体と前記頂部を含む椀状の分割体との間に配置される環状の分割体は、複数の環状の分割体から構成される
請求項１に記載の折り畳みヘルメット。
【請求項３】
前記開放部を含む環状の分割体は、その頂部側に前記開放部の囲う開口よりも狭い開口を囲う頂部側開口縁部を備え、
前記頂部を含む椀状の分割体は、その開放部側に該開放部側の開口を囲う開放部側開口縁部を備え、
前記開放部を含む環状の分割体と前記頂部を含む椀状の分割体との間に配置される環状の分割体は、前記開放部側に該開放部側の開口を囲う開放部側開口縁部と、前記頂部側に前記開放部側開口縁部の囲う開口よりも狭い開口を囲う頂部側開口縁部とを備え、
前記隣接する分割体は、前記帽体を構成するとき、一方の分割体の頂部側開口縁部に他方の分割体の開放部側開口縁部が当接する
請求項１又は２に記載の折り畳みヘルメット。
【請求項４】
前記開放部側開口縁部はこれに当接する頂部側開口縁部の内側に嵌合される
請求項３に記載の折り畳みヘルメット。
【請求項５】
前記連結部の回動軸は平行に配置されてなる
請求項１〜４のいずれか一項に記載の折り畳みヘルメット。
【請求項６】
前記連結部の回動軸は、前記帽体の頂部から開放部までの経路のうちの１つの経路に沿って配置される
請求項５に記載の折り畳みヘルメット。
【請求項７】
前記係止部は、前記連結部から離れた位置に設けられてなる
請求項１〜６のいずれか一項に記載の折り畳みヘルメット。
【請求項８】
前記分割体の一部は、その頂部側開口縁部から環状の内部に収容される他の分割体の開放部側開口縁部に当接して、その内部の所定の位置に他の分割体を停止させる停止部を備える
請求項１〜７のいずれか一項に記載の折り畳みヘルメット。
【請求項９】
前記頂部を含む椀状の分割体は、その外側の表面に少なくとも直径１００ｍｍの円からなる面積を確保できる大きさからなる
請求項１〜８のいずれか一項に記載の折り畳みヘルメット。
【請求項１０】
前記頂部を含む分割体の内側には、衝撃吸収ライナーが設けられている
請求項１〜９のいずれか一項に記載の折り畳みヘルメット。
【請求項１１】
前記頂部を含む分割体は、その内側に該分割体との間に空間を確保するハンモックを備え、
前記開放部を含む分割体は、その内側に該分割体との間に空間を確保するヘッドバンドを備え、
前記開放部を含む分割体と前記頂部を含む分割体との間に配置される分割体は、その内側に衝撃吸収ライナーを備える
請求項１〜１０のいずれか一項に記載の折り畳みヘルメット。
【発明の詳細な説明】
【技術分野】
【０００１】
本発明は、折り畳むことのできる折り畳みヘルメットに関する。
【背景技術】
【０００２】
従来、頭部に着用され、飛来物や落下物、墜落などから頭部を保護するヘルメットが知られている。こうしたヘルメットは、その外殻が半球状の帽体（シェル）により構成されている。つまり、帽体に所定の強度を持たせることでヘルメットの強度を確保することができる。ここで、帽体の強度は、帽体を半球状に一体成形することにより比較的容易に確保することができるものの、半球状の帽体は嵩張るため、保管や運搬などには不便である。そこで、保管時や運搬時には嵩を減らすことのできる折り畳みヘルメットが提案されており、その一例が、例えば特許文献１に記載されている。
【０００３】
図２５に示すように、特許文献１に記載の折り畳みヘルメット（収納型ヘルメット）は、合成樹脂材により成型された多分割部品を組み合わせたものである。このヘルメットは、複数の曲率半径がそれぞれ異なる円弧状のプレート９０２と、複数のプレート９０２の両端部を回転可能に支持するための回転軸９１４と、複数のプレート９０２のうち最下部のプレート周囲に固着されたヒサシ９０５と、回転軸９１４間を連結するためのセンタープレート９０１とを備える。またこのヘルメットは、ヒサシ付プレート９０３の所定の箇所に屈曲可能に連結された背面タレ９０８を備える。複数の円弧状プレート９０２のそれぞれの曲率半径は、それらプレート９０２を回転軸９１４を中心に順次収納可能となるような曲率半径にされている。そして、複数のプレート９０２を収納状態としたときに、センタープレート９０１と背面タレ９０８とが収納ケースを兼ねるようになる。
【先行技術文献】
【特許文献】
【０００４】
【特許文献１】特開２０１０−１８５１４７号公報
【発明の概要】
【発明が解決しようとする課題】
【０００５】
上記特許文献１に記載の折り畳みヘルメットは、帽体を構成する複数のプレート９０２を重ねるように順次収納することで帽体が折り畳まれる構造であるため、帽体そのものに所定の強度を確保することが容易ではない。また、複数のプレート９０２より形成される帽体の構造や、その形成される帽体の内部空間の形状、内装部材の配置などの自由度も低い。そのため、こうしたヘルメットに要求される衝撃吸収性能、例えば産業用安全帽に対する規格（ＪＩＳ Ｔ８１３１など）に定められる衝撃吸収性能などの各種性能を満たす構造とすることが容易ではない。
【０００６】
本発明は、このような実情に鑑みなされたものであって、その目的は、折り畳みができる構造でありながら必要とされる衝撃吸収性能を確保することのできる折り畳みヘルメットを提供することにある。
【課題を解決するための手段】
【０００７】
上記課題を解決する折り畳みヘルメットは、複数の分割体により組み立てられる中空半球状の帽体を含む折り畳みヘルメットであって、前記複数の分割体は、前記帽体の入口である開放部を含む環状の分割体と、前記帽体の頂部を含む椀状の分割体と、前記開放部を含む環状の分割体と前記頂部を含む椀状の分割体との間に配置される環状の分割体とを備え、前記複数の分割体のうち隣接する分割体の間には、それら隣接する分割体を回動可能に連結する連結部と、それら隣接する分割体の相対位置を固定する係止部とが設けられ、前記隣接する分割体のうち、頂部側の分割体は、前記開放部側の分割体に対する前記係止部による固定が解除されることで、その一部が前記開放部側の分割体の環状の内部に回動収納されることを要旨とする。
【０００８】
このような構成によれば、隣接する分割体が回動可能に連結されているため、回動位置を中心にして頂部側の分割体が、開放部側の分割体の環状の内部に入り込むことにより、ヘルメットが折り畳まれて嵩が減るようになる。また、頂部を含む分割体は外部からの力に好適に対抗することのできる椀状であるため、頂部を含む分割体の衝撃吸収性能なども確保できるようになる。これにより、折り畳みができる構造でありながら必要とされる衝撃吸収性能を確保することのできる折り畳みヘルメットを提供することができる。
【０００９】
なおこのように、隣接する分割体同士を回動可能に連結することにより、回動する軌跡がそれら２つの分割体の間では一定になり、かつ、その他の分割体との位置関係による影響はより少なくなる。このため、分割体の形状や、分割体の内部空間の形状、内装部材の配置などの設計自由度が高い。また、折り畳まれたヘルメットを組み立てたとき、隣接する分割体間の配置位置精度も維持されやすい。
【００１０】
好ましい構成として、前記開放部を含む環状の分割体と前記頂部を含む椀状の分割体との間に配置される環状の分割体は、複数の環状の分割体から構成される。
このような構成によれば、開放部を含む環状の分割体と頂部を含む椀状の分割体との間に配置される環状の分割体がさらに複数の環状の分割体から構成されることで、帽体をより多くの分割体に分割することができる。これにより、折り畳まれたヘルメットの嵩をより減らすことができる。
【００１１】
好ましい構成として、前記開放部を含む環状の分割体は、その頂部側に前記開放部の開口よりも狭い開口を囲う頂部側開口縁部を備え、前記頂部を含む椀状の分割体は、その開放部側に該開放部側の開口を囲う開放部側開口縁部を備え、前記開放部を含む環状の分割体と前記頂部を含む椀状の分割体との間に配置される環状の分割体は、前記開放部側に該開放部側の開口を囲う開放部側開口縁部と、前記頂部側に前記開放部側開口縁部の囲う開口よりも狭い開口を囲う頂部側開口縁部とを備え、前記隣接する分割体は、前記帽体を構成するとき、一方の分割体の頂部側開口縁部に他方の分割体の開放部側開口縁部が当接する。
【００１２】
このような構成によれば、隣接する分割体のうちの一方の分割体の頂部側にある頂部側開口縁部に他方の分割体の開放部側開口縁部が当接するため、組み立てられた帽体に生じる隙間を少なくすることができる。
【００１３】
好ましい構成として、前記開放部側開口縁部はこれに当接する頂部側開口縁部の内側に嵌合される。
このような構成によれば、頂部側開口縁部の内側に開放部側開口縁部が嵌合されることで、隣接する２つの分割体は、嵌合されるそれらの開口縁部の強度が高められる。また、一方の分割体の頂部側開口縁部の内側に他方の分割体の開放部側開口縁部が配置されていることから、他方の分割体を一方の分割体の内部に回動収納させる構造にもなりやすい。
【００１４】
好ましい構成として、前記連結部の回動軸は平行に配置されてなる。
このような構成によれば、分割体の回転方向が一定方向になるため、ヘルメットの組み立てや収納が容易になる。
【００１５】
好ましい構成として、前記連結部の回動軸は、前記帽体の頂部から開放部までの経路のうちの１つの経路に沿って配置される。
このような構成によれば、回転軸を帽体の１つの経路に沿って配置させることで各回動位置が近接することから、ヘルメットの組み立てや収納が容易になる。
【００１６】
好ましい構成として、前記係止部は、前記連結部から離れた位置に設けられてなる。
このような構成によれば、係止部と連結部との距離が離れることにより、係止部や連結部にかかる応力を弱めることができる。これにより、可動部である係止部や連結部の好適な動作が容易に維持されるようになる。
【００１７】
好ましい構成として、前記分割体の一部は、その頂部側開口縁部から環状の内部に収容される他の分割体の開放部側開口縁部に当接して、その内部の所定の位置に他の分割体を停止させる停止部を備える。
【００１８】
このような構成によれば、ヘルメットを折り畳むための分割体の回動収納が停止部で停止されるため、ヘルメットの折り畳み操作が容易になるとともに、ヘルメットを折り畳んだ状態に維持することも容易になる。
【００１９】
好ましい構成として、前記頂部を含む椀状の分割体は、その外側の表面に少なくとも直径１００ｍｍの円からなる面積を確保できる大きさからなる。
このような構成によれば、ヘルメットで最も重要な頂部に一つの分割体によって広い面積を確保することでヘルメットとしての強度の確保が容易になる。
【００２０】
好ましい構成として、前記頂部を含む分割体の内側には、衝撃吸収ライナーが設けられている。
このような構成によれば、ヘルメットで最も重要な頂部に衝撃吸収ライナーを設けることができることにより、好適な衝撃吸収性能を一層良好に確保することができるようになる。
【００２１】
好ましい構成として、前記頂部を含む分割体は、その内側に該分割体との間に空間を確保するハンモックを備え、前記開放部を含む分割体は、その内側に該分割体との間に空間を確保するヘッドバンドを備え、前記開放部を含む分割体と前記頂部を含む分割体との間に配置される分割体は、その内側に衝撃吸収ライナーを備える。
【００２２】
通常、帽体の内部には、ハンモック、ヘッドバンド、及び衝撃吸収ライナー等の内装が適切に配置される。そしてヘルメットは、帽体、及び上述の帽体内の内装との協働により所定の衝撃吸収性能が確保される。
【００２３】
よって、この構成によるように、各内装をそれぞれ一つの分割体に設けさせることで、ヘルメットの構造が容易になる。また、ヘルメットの組み立て操作や折り畳み操作の際、分割体とその内装が、他の分割体や内装などと干渉する度合いも減らすことができるため、組み立て操作や折り畳み操作が簡単になる。また、各内装は、それぞれ一つの分割体に設けられているため、こうしたヘルメットの設計を容易にする。
【発明の効果】
【００２４】
このような折り畳みヘルメットによれば、折り畳みができる構造でありながら必要とされる衝撃吸収性能を確保することのできるようになる。
【図面の簡単な説明】
【００２５】
【図１】折り畳みヘルメットが具体化された第１の実施形態について、そのヘルメットが組み立てられた状態の斜視構造を示す斜視図。
【図２】同実施形態の折り畳みヘルメットが折り畳まれた状態の斜視構造を示す斜視図。
【図３】図１に示す折り畳みヘルメットの背面構造を示す平面図。
【図４】図２に示す折り畳みヘルメットの背面構造を示す平面図。
【図５】図１の５−５線における断面構造を示す断面図。
【図６】図２の６−６線における断面構造を示す断面図。
【図７】図１に示す折り畳みヘルメットの側面前部分の側面構造を示す平面図。
【図８】図２に示す折り畳みヘルメットの側面前部分の側面構造を示す平面図。
【図９】図１の９−９線における部分断面構造を示す部分断面図。
【図１０】図９に示す断面の斜視構造を示す部分断面図。
【図１１】図７の１１−１１線における断面の端面構造を示す端面図。
【図１２】図１０に示す部分を部品の別に分解したときの構造を示す部分断面図。
【図１３】図２の１３−１３線における部分断面構造を示す部分断面図。
【図１４】図１３に示す部分断面を斜視構造にて示す部分断面図。
【図１５】図７の１５−１５線における断面の端面構造を示す端面図。
【図１６】図８の１６−１６線における断面の端面構造を示す端面図。
【図１７】図８の１７−１７線における断面の端面構造を示す端面図。
【図１８】図３の１８−１８線における部分断面の端面構造を示す端面図。
【図１９】図５の断面図において背面部分の端面構造を拡大して示す部分端面図。
【図２０】図６の断面図において背面部分の端面構造を拡大して示す部分端面図。
【図２１】折り畳みヘルメットが具体化された第２の実施形態について、そのヘルメットが組み立てられた状態における側面構造を示す側面図。
【図２２】図２１に示す折り畳みヘルメットの端面構造を示す端面図。
【図２３】同実施形態の折り畳みヘルメットが折り畳まれた状態における端面構造を示す端面図。
【図２４】折り畳みヘルメットに具体化された係止部について、他の形態における端面構造を示す端面図。
【図２５】従来の折り畳みヘルメットの一態様についてその側面構造を示す側面図。
【発明を実施するための形態】
【００２６】
（第１の実施形態）
折り畳みヘルメットが具体化された第１の実施形態について、図１〜図２０に従って説明する。なお、この折り畳みヘルメットは、中空半球状のヘルメットに組み立てられた状態において、主に人の頭部に着用される頭部保護用のヘルメットである。こうしたヘルメットは、産業用ヘルメット、スポーツ用ヘルメット、及び緊急時の避難用ヘルメットなどとして利用することができる。
【００２７】
図１〜図４に示すように、折り畳みヘルメットは、その外郭として中空半球状の帽体１０を備える。帽体１０は、中空の半球形状が形成する環状の開口を囲う開口縁部であって帽体１０の入口である開放部１１と、その中空半球の頂部である頂部１２とを備える。また、帽体１０は、開放部１１の周囲に帽体１０に一体となって外側に張り出す段部１３と、開放部１１の前部から帽体１０に一体となって外側に張り出すひさし１４とを備える。ひさし１４は、日よけをするとともに、雨や落下物等から着用者の顔面を保護するためのものであって、開放部１１から外周方向へ突出する。なお、このヘルメットは、ひさし１４の延びる方向に着用者の顔面が向くように着用者の頭部に着用されるものであるため、ひさし１４の設けられている側が前部であり、この状態で着用者の後頭部側となる側が後部である。また、このヘルメットは、帽体１０において、開放部１１の開口している側が下部であり、開放部１１からみて中空半球の奧側、つまり頂部１２が上部である。
【００２８】
図１〜図４に示すように、帽体１０は、開放部１１と頂部１２との間が複数に分割された態様、例えば、上下方向に交差する方向（略水平方向）に分割された態様をしている。そして帽体１０は、分割された複数の分割体、例えば４つの分割体より構成される。つまり帽体１０は、帽体１０の下部から順に、開放部１１を含む環状の第１の分割体１００と、第１の分割体１００の頂部側に配置される環状の第２の分割体２００と、第２の分割体２００の頂部側に配置される環状の第３の分割体３００と、第３の分割体３００の頂部側に配置される略椀状の第４の分割体４００とを備える。
【００２９】
第１〜第４の分割体１００，２００，３００，４００は、例えばアクリロニトリルブタジエンスチレン共重合体等のＡＢＳ樹脂等の樹脂によって形成されている。
第１の分割体１００は、帽体１０の前部の部分に前部１１０と、帽体１０の側部に前部１１０から後方へ延出される各側部１３０と、帽体１０の後部に各側部１３０から延出される後部１５０とを備える。第１の分割体１００は、開放部１１、段部１３及びひさし１４を含むとともに、環状の開口を囲う開口縁部のうちの頂部側の開口縁部である頂部側開口縁部１０２を備える。また、頂部側開口縁部１０２が囲う開口は、開放部１１の囲う開口よりも狭い。
【００３０】
第２の分割体２００は、帽体１０の前部の部分に前部２１０と、帽体１０の側部に前部２１０から後方へ延出される各側部２３０と、帽体１０の後部に各側部２３０から延出される後部２５０とを備える。第２の分割体２００は、環状の開口を囲う開口縁部のうちの開放部側の開口縁部である開放部側開口縁部２０１と、環状の開口を囲う開口縁部のうちの頂部側の開口縁部である頂部側開口縁部２０２とを備える。また、頂部側開口縁部２０２が囲う開口は、開放部側開口縁部２０１の囲う開口よりも狭い。
【００３１】
第３の分割体３００は、帽体１０の前部の部分に前部３１０と、帽体１０の側部に前部３１０から後方へ延出される各側部３３０と、帽体１０の後部に各側部３３０から延出される後部３５０とを備える。第３の分割体３００は、環状の開口を囲う開口縁部のうちの開放部側の開口縁部である開放部側開口縁部３０１と、環状の開口を囲う開口縁部のうちの頂部側の開口縁部である頂部側開口縁部３０２とを備える。また、頂部側開口縁部３０２が囲う開口は、開放部側開口縁部３０１の囲う開口よりも狭い。
【００３２】
第４の分割体４００は、帽体１０の前部の部分に前部４１０と、帽体１０の側部に前部４１０から後方へ延出される各側部４３０と、帽体１０の後部に各側部４３０から延出される後部４５０と、前部４１０、両側部４３０及び後部４５０との上部を覆う頂上部４４０とを備える。第４の分割体４００は、開放部側に環状の開口を囲う開口縁部である開放部側開口縁部４０１を備える。
【００３３】
図１及び図３に示すように、帽体１０が組み立てられた状態のとき、第１の分割体１００は、その頂部側開口縁部１０２の内側に第２の分割体２００の開放部側開口縁部２０１が当接され、第２の分割体２００は、その頂部側開口縁部２０２の内側に第３の分割体３００の開放部側開口縁部３０１が当接される。また、第３の分割体３００は、その頂部側開口縁部３０２の内側に第４の分割体４００の開放部側開口縁部４０１が当接される。逆に言えば、第４の分割体４００は、その開放部側開口縁部４０１の外側に第３の分割体３００の頂部側開口縁部３０２が当接され、第３の分割体３００は、その開放部側開口縁部３０１の外側に第２の分割体２００の頂部側開口縁部２０２が当接される。また、第２の分割体２００は、その開放部側開口縁部２０１の外側に第１の分割体１００の頂部側開口縁部１０２が当接される。つまり、第１の分割体１００と第２の分割体２００とが隣接配置され、第２の分割体２００と第３の分割体３００とが隣接配置され、第３の分割体３００と第４の分割体４００とが隣接配置されている。
【００３４】
また、帽体１０に必要とされる衝撃吸収性能を維持するため、当接する第１の分割体１００の頂部側開口縁部１０２と第２の分割体２００の開放部側開口縁部２０１との間には大きな隙間が生じないようになっている。同様に、帽体１０に必要とされる衝撃吸収性能を維持するため、当接する第２の分割体２００の頂部側開口縁部２０２と第３の分割体３００の開放部側開口縁部３０１との間、及び、当接する第３の分割体３００の頂部側開口縁部３０２と第４の分割体４００の開放部側開口縁部４０１との間にもそれぞれ大きな隙間が生じないようになっている。なお、帽体１０に必要とされる衝撃吸収性能が維持される範囲内であれば、当接する２つの開口縁部の間に、多少の隙間が生じてもよいし、隙間が形成されるようにしてもよい。
【００３５】
このように、帽体１０は、第１の分割体１００の上部に第２の分割体２００が配置され、第２の分割体２００の上部に第３の分割体３００が配置され、第３の分割体３００の上部に第４の分割体４００が配置されることにより構成される。さらに換言すると、帽体１０は、開放部１１を含む環状の第１の分割体１００と、頂部１２を含む略椀状の第４の分割体４００とを備える。また、帽体１０は、第１の分割体１００と第４の分割体４００との間には、第１の分割体１００に隣接する第２の分割体２００と、第２の分割体２００と第４の分割体４００とに隣接する第３の分割体３００とを備える。
【００３６】
そして、隣接する各分割体は連結部によって回動可能に連結されている。つまり、隣接する第１及び第２の分割体１００，２００の間には、第１及び第２の分割体１００，２００を回動可能に連結させる第１の連結部２０が設けられている。また、隣接する第２及び第３の分割体２００，３００の間には、第２及び第３の分割体２００，３００を回動可能に連結させる第２の連結部３０が設けられている。また、隣接する第３及び第４の分割体３００，４００の間には、第３及び第４の分割体３００，４００を回動可能に連結させる第３の連結部４０が設けられている。そして、第１の連結部２０には回動軸としての回転軸Ｃ２０（図１など）、第２の連結部３０には回動軸としての回転軸Ｃ３０（図１など）、第３の連結部４０には回動軸としての回転軸Ｃ４０（図１など）が設けられている。第１〜３の連結部２０，３０，４０は、帽体１０の前面に設けられる、帽体１０の頂部１２から帽体１０の開放部１１までの弧状の経路に沿って配置されている。そして、各回転軸Ｃ２０，Ｃ３０，Ｃ４０も平行に配置されている。また、第１〜３の連結部２０，３０，４０はそれぞれの位置が近接配置されている。これにより、各回動位置が近接するため、組み立て時や折り畳み時の動きが統一化されるなどヘルメットの組み立てや収納が容易になるとともに、そうした操作に要する時間の短縮も図られる。また、第１〜３の連結部２０，３０，４０を異なる位置に設けることができるため、各連結部を必要最小限の大きさに維持させることができるようになっている。
【００３７】
一方、図２及び図４に示すように、帽体１０が折り畳まれたとき、第４の分割体４００は、その開放部側開口縁部４０１と第３の分割体３００の頂部側開口縁部３０２との当接が解除され、その開放部側開口縁部４０１を含む一部分が第３の分割体３００の環状の内部へ収納される。また、第３の分割体３００は、その開放部側開口縁部３０１と第２の分割体２００の頂部側開口縁部２０２との当接が解除され、その開放部側開口縁部３０１を含む一部分が第２の分割体２００の環状の内部へ収納される。また、第２の分割体２００は、その開放部側開口縁部２０１と第１の分割体１００の頂部側開口縁部１０２との当接が解除され、その開放部側開口縁部２０１を含む一部分が第１の分割体１００の環状の内部へ収納される。これにより、折り畳まれた帽体１０は、その頂部１２の高さが低くなり、ヘルメットの嵩が減るようになる。
【００３８】
なお、本実施形態では、第４の分割体４００は、その頂上部４４０に、頂部１２を含む直径１００ｍｍ以上の大きさの円状の剛性部が確保できる大きさになっている。これにより、外部から強い力を受けやすいヘルメットの頂部１２に、外部からの力に好適に対抗することのできる略椀状である第４の分割体４００を配置させ、複数の分割体より構成される帽体１０に必要な衝撃吸収性能が確保されるようになっている。また、第４の分割体４００を大きくすることができるため、形状にかかる制約も少なく、頂上部４４０と側部４３０との間に段差を形成させりすることができるようになり、第４の分割体４００の強度や意匠性を高めることもできる。
【００３９】
図５及び図６に示すように、帽体１０は、その内部空間に、頭部に対する位置を固定するヘッドバンド５００と、外部から帽体１０に加わる頭部への衝撃を吸収する第１〜第３のライナー５１０，５３０，５４０及びハンモック５２０とを備えている。
【００４０】
ヘッドバンド５００は、着用者の頭部に対して帽体１０の位置を固定する周状の部材である。ヘッドバンド５００は、低密度ポリエチレン（ＬＤＰＥ）、直鎖状低密度ポリエチレン（Ｌ−ＬＤＰＥ）、高密度ポリエチレン（ＨＤＰＥ）などのポリエチレンから形成されている。ヘッドバンド５００は、バンド係止部５０１を介して第１の分割体１００の環状の内面に設けられているヘッドバンド取付部１０３に取付けられている。これにより、ヘッドバンド５００は、その外周が略均等な間隔でヘッドバンド取付部１０３に取り付けられる。ヘッドバンド５００は、帽体１０の後部側に図示しない調整部が設けられ、この調整部によりヘッドバンド５００の周長を拡大・縮小させることでその周長が着用者の頭部の大きさに適合するように調整される。この周長の調整によりヘッドバンド５００が着用者の頭部に固定される。
【００４１】
第１〜第３のライナー５１０，５３０，５４０は、帽体１０と頭部との間に介在することにより外部から帽体１０に加わる衝撃を吸収し、頭部に与えられる衝撃を弱くするための衝撃吸収用の部材である。第１〜第３のライナー５１０，５３０，５４０はそれぞれ、それが配置される分割体の内部形状に適合し、かつ、所定の厚みを有する形状に形成されている。第１〜第３のライナー５１０，５３０，５４０の材質としては発泡ポリプロピレンや発泡ポリスチレン（いわゆる発泡スチロール）が好ましく、特に発泡ポリスチレンが好適である。また、発泡倍率が１０倍から３０倍までの間にある発泡ポリスチレンが好ましい。そして所定の厚みは、例えば労働安全衛生法の規定（昭和５０年９月８日労働省告示第６６号  平成１２年１２月改正）に基づく保護帽（いわゆるヘルメット）の規格に定める耐貫通性試験や衝撃吸収性試験、もしくはＪＩＳ規格（ＪＩＳ  Ｔ８１３１）の産業用安全帽に定める耐貫通性試験や衝撃吸収性試験に基づいて定められる。
【００４２】
本実施形態では、第１のライナー５１０は、第４の分割体４００の内面に取り付けられている。つまり、第１のライナー５１０は、略椀状の第４の分割体４００の内面に適合する略椀状であり、帽体１０の頂部１２を含む帽体内の広い範囲に配置される。これにより、着用者の頭の頂部などへの衝撃が吸収されるようになる。第１のライナー５１０は、頂部１２周辺では所定の厚みを有している一方、第４の分割体４００の後部４５０付近では、後端部に向かって厚みが徐々に薄くなるようになっている。つまり第１のライナー５１０は、第４の分割体４００の後部４５０付近の端部から、前部４１０に向けて徐々に厚くなり所定の厚みになると、その厚みが維持させるようになっている。ところで、本実施形態では、第１のライナー５１０を後部４５０付近で徐々に薄くすることによって、帽体１０が折り畳まれたとき、第１のライナー５１０が第１の分割体１００の開放部１１よりも下方へ突出しないとともに、第１のライナー５１０を内装する第４の分割体４００の高さを極力低くさせるような形状になる。一方、第１のライナー５１０の前部は、ヘッドバンド５００に重なる位置まで延出されているとともに、帽体１０が折り畳まれるときであれ他の分割体やヘッドバンド５００に干渉しない形状、例えば、帽体１０の前部との間に隙間を設けたり、ヘッドバンド５００が入り込む凹みを設けたりしている。
【００４３】
第２のライナー５３０は、第３の分割体３００の後部３５０の内面に取り付けられている。ところで、第３の分割体３００の後部３５０は、連結部４０からの距離が離れているため、第４の分割体４００が回動によって第３の分割体３００の環状の内部に収容されたとしても、第４の分割体４００の後部４５０との間に相対的に広い距離が確保される。このため、第２のライナー５３０の厚みは、第３の分割体３００の後部３５０の内面において第４の分割体４００の後部４５０の移動経路Ｌ４（図２０参照）に干渉しない範囲で厚くすることができる。これにより、第３の分割体３００に設けられる第２のライナー５３０によっても着用者の頭の頂部などへの衝撃が吸収されるようになる。
【００４４】
第３のライナー５４０は、第２の分割体２００の後部２５０の内面に取り付けられている。ところで、第２の分割体２００の後部２５０は、連結部３０からの距離が離れているため、第３の分割体３００が回動によって第２の分割体２００の環状の内部に収容されたとしても、第３の分割体３００の後部３５０との間に相対的に広い距離が確保される。このため、第３のライナー５４０の厚みは、第２の分割体２００の後部２５０の内面において第３の分割体３００の後部３５０の移動経路Ｌ３（図２０参照）に干渉しない範囲で厚くすることができる。これにより、第２の分割体２００に設けられる第３のライナー５４０によっても着用者の頭の頂部などへの衝撃が吸収されるようになる。
【００４５】
ハンモック５２０は、第４の分割体４００の内面に設けられた第１のライナー５１０の前部から後部へ架け渡されている。つまり、ハンモック５２０は、第４の分割体４００に設けられている。ハンモック５２０は、ヘルメット着用者の頭部に当接することでヘルメットの帽体１０と着用者の頭部との隙間を所定の間隔に維持させるとともに、その間隔を維持させようとする構造によって帽体１０への衝撃を吸収し、頭部への衝撃を弱くさせるようにする。ハンモック５２０は、樹脂などから形成されており、前部の接続部が第１のライナー５１０の前部に接続され、後部の接続部が第１のライナー５１０の後部に沿って第４の分割体４００の後部４５０の内面に接続されている。これにより、ハンモック５２０は、帽体１０の頂部１２に近い内部空間を横断する態様で帽体内に架け渡される。
【００４６】
これにより、帽体１０を組み立てられたヘルメットには必要な衝撃吸収性能が確保されるとともに、折り畳まれたヘルメットの嵩が、組み立てられたヘルメットの嵩に比べて減る。よって、ヘルメットの保管や運搬などに係る利便性が向上する。
【００４７】
続いて、分割体を回動させることのできる構造について、図５〜図１４を併せ参照して説明する。
図１，２，５，６に示すように、第１の連結部２０は、第１の分割体１００の前部１１０と第２の分割体２００の前部２１０とが連結されることによって第１の分割体１００と第２の分割体２００との間に設けられる。そして第１の分割体１００を基準に見ると、連結部２０は、第２の分割体２００を第１の分割体１００に回動可能に支持する。このとき回動可能な角度範囲は、少なくとも、第２の分割体２００の位置が、帽体１０が組み立てられた状態の位置（図５）から帽体１０が折り畳まれた状態の位置（図６）まで移動できる範囲（例えば、１０°〜２０°程度）とされる。なお、第１の分割体１００は、その環状の内部における第２の分割体２００の移動経路Ｌ２（図２０参照）が、他の分割体の状態にかかわらず、相対的に一定に保たれるため、その環状内部への内装の配置などに関する制約も必要最小限になる。
【００４８】
第２の連結部３０は、第２の分割体２００の前部２１０と第３の分割体３００の前部３１０とが連結されることによって第２の分割体２００と第３の分割体３００との間に設けられる。そして第２の分割体２００を基準に見ると、連結部３０は、第３の分割体３００を第２の分割体２００に回動可能に支持する。このとき回動可能な角度範囲は、少なくとも、第３の分割体３００の位置が、帽体１０が組み立てられた状態の位置（図５）から帽体１０が折り畳まれた状態の位置（図６）まで移動できる範囲（例えば、１０°〜２０°程度）とされる。なお、第２の分割体２００は、その環状の内部における第３の分割体３００の移動経路Ｌ３（図２０参照）が、他の分割体の状態にかかわらず、相対的に一定に保たれるため、その環状内部への内装の配置などに関する制約も必要最小限になる。
【００４９】
第３の連結部４０は、第３の分割体３００の前部３１０と第４の分割体４００の前部４１０とが連結されることによって第３の分割体３００と第４の分割体４００との間に設けられる。そして第３の分割体３００を基準に見ると、連結部４０は、第４の分割体４００を第３の分割体３００に回動可能に支持する。このとき回動可能な角度範囲は、少なくとも、第４の分割体４００の位置が、帽体１０が組み立てられた状態の位置（図５）から帽体１０が折り畳まれた状態の位置（図６）まで移動できる範囲（例えば、１０°〜２０°程度）とされる。なお、第３の分割体３００は、その環状の内部における第３の分割体３００の移動経路Ｌ４（図２０参照）が、他の分割体の状態にかかわらず、相対的に一定に保たれるため、その環状内部への内装の配置などに関する制約も必要最小限になる。
【００５０】
図９〜図１４を参照して詳述すると、第１の連結部２０は、第１の分割体１００に形成された連結板１１２と、連結板１１２の平面に突出する軸芯１１３と、軸芯１１３の回転軸Ｃ２０と、第２の分割体２００に形成された狭持板２１５，２１６と、狭持板２１５に貫通形成された軸穴２１７とを備えている。つまり、第１の連結部２０は、第１の分割体１００に一体成形された連結板１１２及び軸芯１１３と、第２の分割体２００に一体成形された狭持板２１５，２１６及び軸穴２１７とを含み構成されている。
【００５１】
図１１に示すように、連結板１１２は、第１の分割体１００の前部１１０から外方に向けて突出する板状の部材として第１の分割体１００に一体形成されている。軸芯１１３は、連結板１１２の表面のうちの環状の内部に突出する円柱状のものであり、連結板１１２の表面に接続される基端と、基端の反対端である自由端と、その円の略中心に回転軸Ｃ２０とを備える。なお本実施形態では、軸芯１１３の自由端の円形端面は、その端面を上下に区切る直線部分を備え、その直線部分よりも上部は、直線部分から上部に移動するにつれて、自由端と基端との間の距離が徐々に短くなるように傾斜している。換言すると、軸芯１１３の自由端は、その上部が基端に対して傾斜する形状になっている。これにより、軸芯１１３は、上部の側面の長さが、下部の側面の長さよりも短くなるようになっている。
【００５２】
また、第２の連結部３０は、第２の分割体２００に形成された連結板２１２と、連結板２１２の平面に突出する軸芯２１３と、軸芯２１３の回転軸Ｃ３０と、第３の分割体３００に形成された狭持板３１５，３１６と、狭持板３１５に貫通形成された軸穴３１７とを備えている。なお、第２の連結部３０の連結板２１２、軸芯２１３、回転軸Ｃ３０、狭持板３１５，３１６及び軸穴３１７は、上述した第１の連結部２０の連結板１１２、軸芯１１３、回転軸Ｃ２０、狭持板２１５，２１６及び軸穴２１７と同様の構成を有していることから詳細な説明は割愛する。
【００５３】
また、第３の連結部４０は、第３の分割体３００に形成された連結板３１２と、連結板３１２の平面に突出する軸芯３１３と、軸芯３１３の回転軸Ｃ４０と、第４の分割体４００に形成された狭持板４１５，４１６と、狭持板４１５に貫通形成された軸穴４１７とを備えている。なお、第３の連結部４０の連結板３１２、軸芯３１３、回転軸Ｃ４０、狭持板４１５，４１６及び軸穴４１７は、上述した第１の連結部２０の連結板１１２、軸芯１１３、回転軸Ｃ２０、狭持板２１５，２１６及び軸穴２１７と同様の構成を有していることから詳細な説明は割愛する。
【００５４】
図１１及び図１２を参照して、第１の分割体１００と第２の分割体２００との連結について説明する。まず、連結される前の第１の分割体１００の上方に第２の分割体２００を、第２の分割体２００の狭持板２１５，２１６の間に第１の分割体１００の連結板１１２が挟まれるように配置させる。続いて、第２の分割体２００を下方に移動させると、狭持板２１５が軸芯１１３の上部側面に当接する。そこで、第１の分割体１００方向への力を第２の分割体２００に加えることで、狭持板２１５が押し曲げられて軸芯１１３の上部側面を乗り越えるとともに、軸芯１１３が軸穴２１７に嵌合される。これにより、第１の分割体１００に第２の分割体２００が回動可能に連結される。なお、軸芯１１３は、上部側面の長さが短くされているため狭持板２１５が乗り越えやすい。一方、一旦、軸穴２１７に嵌合された軸芯１１３は、狭持板２１５及び２１６に挟み込まれるため、軸芯１１３の突出方向への前後移動が規制されるため抜けるスペースが形成されない。また、軸穴２１７に嵌合された軸芯１１３は、上部側面の長さよりも下部側面の長さが長いことから、第１の分割体１００の上方へ引き抜くような力が第２の分割体２００に加わっても軸穴２１７から外れることが防止される。
【００５５】
図９〜図１１に示すように、第１の連結部２０と第２の連結部３０との間、つまり、第１の連結部２０の狭持板２１５の上部と第２の連結部３０の狭持板３１５の下部との間には隙間が設けられている。
【００５６】
詳述すると、図１３及び図１４に示すように、帽体１０が折り畳まれるとき、第３の分割体３００は、後部３５０を第２の分割体２００に対して下部方向に回転移動させる。すると、第３の分割体３００は、その狭持板３１５を回転軸Ｃ３０を中心に回動させる。このとき、第３の分割体３００の狭持板３１５と第２の分割体２００の狭持板２１５との間に隙間がないと、第３の分割体３００の狭持板３１５の回動が第２の分割体２００の狭持板２１５の干渉により阻止され、第３の分割体３００を好適に折り畳むことができなくなってしまう。そこで、第１の連結部２０の狭持板２１５の上部と第２の連結部３０の狭持板３１５の下部との間には隙間が設けられている。
【００５７】
同様に、第２の連結部３０と第３の連結部４０との間、つまり、第２の連結部３０の狭持板３１５の上部と第３の連結部４０の狭持板４１５の下部との間にも隙間が設けられている。
【００５８】
また、帽体１０を折り畳むときに干渉が生じることを防ぐための隙間が、第１の分割体１００の連結板１１２の前部と該連結板１１２を挟む第２の分割体２００の狭持板２１５，２１６の前部との間にも設けられている。また、同様の隙間は、第２の分割体２００の連結板２１２の前部と該連結板２１２を挟む第３の分割体３００の狭持板３１５，３１６の前部との間や、第３の分割体３００の連結板３１２の前部と該連結板３１２を挟む第４の分割体４００の狭持板４１５，４１６の前部との間にも設けられている。
【００５９】
なお、第１の分割体１００の前部１１０は、第２の分割体２００の前部２１０の裏に重なる様に延出する延出部１１１を備え、外部から見て第１の分割体１００の前部１１０と第２の分割体２００の前部２１０との間に隙間が生じないようにしている。同様に、第２の分割体２００の前部２１０は、第３の分割体３００の前部３１０の裏に重なる様に延出する延出部２１１を備え、第３の分割体３００の前部３１０は、第４の分割体４００の前部４１０の裏に重なる様に延出する延出部３１１を備えている。
【００６０】
図１５及び図１６を参照して、帽体１０が組み立てられたときの各分割体の当接の態様や、帽体１０が折り畳まれたときの各分割体の分離の態様について説明する。
第１の分割体１００は、頂部側開口縁部１０２には内側に折り返される態様の嵌合部１３２を備える。また、第２の分割体２００は、開放部側開口縁部２０１には外側に折り返される態様の嵌合部２３１と、頂部側開口縁部２０２には内側に折り返される態様の嵌合部２３２とを備える。また、第３の分割体３００は、開放部側開口縁部３０１には外側に折り返される態様の嵌合部３３１と、頂部側開口縁部３０２には内側に折り返される態様の嵌合部３３２とを備える。また、第４の分割体４００は、開放部側開口縁部４０１に外側に折り返される態様の嵌合部４３１を備える。
【００６１】
図１５に示すように、帽体１０が組み立てられたとき、第１の分割体１００の頂部側開口縁部１０２の嵌合部１３２と第２の分割体２００の開放部側開口縁部２０１の嵌合部２３１とが相互に噛み合う態様で嵌合する。つまり、第１の分割体１００の頂部側開口縁部１０２の内側に、第２の分割体２００の開放部側開口縁部２０１の外側が嵌合当接する。この第１の分割体１００と第２の分割体２００との嵌合により、第２の分割体２００に横からの力が加わったとしても第１の分割体１００と第２の分割体２００との間に隙間が生じることが防止される。
【００６２】
また、第２の分割体２００の頂部側開口縁部２０２の嵌合部２３２と第３の分割体３００の開放部側開口縁部３０１の嵌合部３３１とが相互に噛み合う態様で嵌合する。つまり、第２の分割体２００の頂部側開口縁部２０２の内側に、第３の分割体３００の開放部側開口縁部３０１が嵌合当接する。この第２の分割体２００と第３の分割体３００との嵌合により、第３の分割体３００に横からの力が加わったとしても第２の分割体２００と第３の分割体３００との間に隙間が生じることが防止される。
【００６３】
また、第３の分割体３００の頂部側開口縁部３０２の嵌合部３３２と第４の分割体４００の開放部側開口縁部４０１の嵌合部４３１とが相互に噛み合う態様で嵌合する。つまり、第３の分割体３００の頂部側開口縁部３０２の内側に、第４の分割体４００の開放部側開口縁部４０１が嵌合当接する。この第３の分割体３００と第４の分割体４００との嵌合により、第４の分割体４００に横からの力が加わったとしても第３の分割体３００と第４の分割体４００との間に隙間が生じることが防止される。
【００６４】
一方、図１６に示すように、帽体１０が折り畳まれるとき、第１の分割体１００の頂部側開口縁部１０２の嵌合部１３２から外れた第２の分割体２００の開放部側開口縁部２０１の嵌合部２３１は第１の分割体１００の側部１３０のヘッドバンド取付部１０３に当接して停止する。つまり、第２の分割体２００は、第１の分割体１００の内部に収容されるとともに、ヘッドバンド取付部１０３に当接して第１の分割体１００の内部における位置が保持される。
【００６５】
また、図１７に示すように、第２の分割体２００の頂部側開口縁部２０２の嵌合部２３２から外れた第３の分割体３００の開放部側開口縁部３０１の嵌合部３３１はヘッドバンド５００に形成された停止部５０２に当接して停止する。つまり、第３の分割体３００は、第２の分割体２００の内部に収容されるとともに、停止部５０２に当接して第２の分割体２００の内部における位置が保持される。
【００６６】
また、第３の分割体３００の頂部側開口縁部３０２の嵌合部３３２から外れた第４の分割体４００の開放部側開口縁部４０１の嵌合部４３１はヘッドバンド５００の上辺に当接して停止する。つまり、第４の分割体４００は、第３の分割体３００の内部に収容されるとともに、ヘッドバンド５００の上辺に当接して第３の分割体３００の内部における位置が保持される。
【００６７】
図１８〜図２０を参照して、帽体１０が組み立てられたときの各分割体の位置固定や、帽体１０が折り畳まれるときの固定解除について説明する。
図３及び図５を併せて参照すると、第１の分割体１００は、後部１５０に第２の分割体２００の位置を固定する係止部１５１を備え、第２の分割体２００は、後部２５０に第３の分割体３００の位置を固定する係止部２５１を備え、第３の分割体３００は、後部３５０に第４の分割体４００の位置を固定する係止部３５１を備えている。各係止部１５１，２５１，３５１は、対応する各連結部２０，３０，４０から最も離れた位置に配置されている。これによって、各係止部１５１，２５１，３５１や、各連結部２０，３０，４０にかかる応力が弱められるようになっている。
【００６８】
図１８〜図２０に示すように、第１の分割体１００の係止部１５１は、操作用凹部１５２と、操作端１５３と、爪部１５４とを備えている。爪部１５４は、その先端が第１の分割体１００の後部１５０から内部に突出しており、その突出した部分が第２の分割体２００の開放部側開口縁部２０１の下方に当接する位置である第２の分割体２００の移動経路Ｌ２を越える位置まで飛び出している。一方、爪部１５４は、操作用凹部１５２を介して操作端１５３が外方（後方）に引っ張られる、いわゆる解除操作が行われると、第１の分割体１００の後部１５０から内部に突出していた爪部１５４の先端が、少なくとも第２の分割体２００の移動経路Ｌ２に干渉しない位置まで後退する。
【００６９】
つまり、帽体１０が組み立てられるとき、第２の分割体２００の開放部側開口縁部２０１が移動経路Ｌ２に沿って頂部１２方向へ移動することにより係止部１５１の爪部１５４が外方へ押し出される。そして、開放部側開口縁部２０１が爪部１５４よりも頂部側に移動して爪部１５４に外方へ押し出す力が加わらなくなると、爪部１５４の位置が移動経路Ｌ２を越える位置まで戻る。これにより、爪部１５４を押し込むように越えて頂部１２方向に移動された第２の分割体２００は、その開放部側開口縁部２０１が、移動経路Ｌ２まで突出した爪部１５４の先端に係止され、開放部方向に移動することができないようになる。よって係止部１５１により、第１の分割体１００と第２の分割体２００との相対位置が固定される。
【００７０】
一方、帽体１０が折り畳まれるとき、爪部１５４は、解除操作により第２の分割体２００の移動経路Ｌ２に干渉しない位置まで後退し、第２の分割体２００はその開放部側開口縁部２０１への係止が解除されて開放部方向への移動が自由になる。つまり第２の分割体２００は、第１の分割体１００の内部に収容される位置への回転移動が可能になる。
【００７１】
また、第２の分割体２００の係止部２５１は、操作用凹部２５２と、操作端２５３と、爪部２５４とを備え、爪部２５４は、第３の分割体３００の移動経路Ｌ３を越える位置まで突出されている。第３の分割体３００の係止部３５１は、操作用凹部３５２と、操作端３５３と、爪部３５４とを備え、爪部３５４は、第４の分割体４００の移動経路Ｌ４を越える位置まで突出されている。なお、第２の分割体２００の係止部２５１、及び第３の分割体３００の係止部３５１の機能や動作は、第１の分割体１００の係止部１５１の機能や動作と同様であることから、その詳細な説明を割愛する。
【００７２】
本実施形態のヘルメットによれば、折り畳みができる構造でありながら必要とされる衝撃吸収性能を確保することができる。
以上説明したように、本実施形態の折り畳みヘルメットによれば、以下に列記するような効果が得られるようになる。
【００７３】
（１）隣接する分割体が回動可能に連結されているため、回動位置を中心にして頂部側の分割体（例えば第２の分割体２００）が、開放部側の分割体（例えば第１の分割体１００）の環状の内部に入り込むことにより、ヘルメットが折り畳まれて嵩が減るようになる。また、頂部１２を含む第４の分割体４００は外部からの力に好適に対抗することのできる椀状であるため、頂部１２を含む第４の分割体４００の衝撃吸収性能なども確保できるようになる。これにより、折り畳みができる構造でありながら必要とされる衝撃吸収性能を確保することのできる折り畳みヘルメットを提供することができる。
【００７４】
なおこのように、隣接する分割体同士を回動可能に連結することにより、回動する軌跡がそれら２つの分割体の間では一定になり、かつ、その他の分割体との位置関係による影響はより少なくなる。このため、分割体の形状や、分割体の内部空間の形状、内装部材の配置などの設計自由度が高い。また、折り畳まれたヘルメットを組み立てたとき、隣接する分割体間の配置位置精度も維持されやすい。
【００７５】
（２）開放部１１を含む環状の第１の分割体１００と頂部１２を含む椀状の第４の分割体４００との間に配置される環状の分割体が複数の環状の第２及び第３の分割体２００，３００から構成されることで、帽体をより多くの分割体に分割することができる。これにより、折り畳まれたヘルメットの嵩をより減らすことができる。
【００７６】
（３）隣接する分割体のうちの一方の分割体（例えば第１の分割体１００）の頂部側にある頂部側開口縁部（例えば頂部側開口縁部１０２）に他方の分割体（例えば第２の分割体２００）の開放部側開口縁部（例えば開放部側開口縁部２０１）が当接するため、組み立てられた帽体１０に生じる隙間を少なくすることができる。
【００７７】
（４）頂部側開口縁部（例えば頂部側開口縁部１０２）の内側に開放部側開口縁部（例えば開放部側開口縁部２０１）が嵌合されることで、隣接する２つの分割体は、嵌合されるそれらの開口縁部の強度が高められる。また、一方の分割体（例えば第１の分割体１００）の頂部側開口縁部の内側に他方の分割体（例えば第２の分割体２００）の開放部側開口縁部が配置されていることから、他方の分割体を一方の分割体の内部に回動収納させる構造にもなりやすい。
【００７８】
（５）連結部２０，３０，４０の回転軸Ｃ２０，Ｃ３０，Ｃ４０は平行に配置されることで、第２〜第４の分割体２００，３００，４００の回転方向が一定方向になるため、ヘルメットの組み立てや収納が容易になる。
【００７９】
（６）回転軸Ｃ２０，Ｃ３０，Ｃ４０を帽体１０上の１つの弧状の経路に沿って配置させることで各回動位置が近くなることから、ヘルメットの組み立てや収納が容易になる。
（７）係止部１５１，２５１，３５１と連結部２０，３０，４０との距離が離れることにより、係止部１５１，２５１，３５１や連結部２０，３０，４０にかかる応力を弱めることができる。これにより、可動部である係止部１５１，２５１，３５１や連結部２０，３０，４０の好適な動作が容易に維持されるようになる。
【００８０】
（８）ヘルメットを折り畳むための第２〜第４の分割体２００，３００，４００の回動収納が停止部としてのヘッドバンド取付部１０３、停止部５０２、ヘッドバンド５００で停止されるため、ヘルメットの折り畳み操作が容易になるとともに、ヘルメットを折り畳んだ状態に維持することも容易になる。
【００８１】
（９）ヘルメットで最も重要な頂部１２に第４の分割体４００のみによって広い面積を確保することでヘルメットとしての強度の確保が容易になる。
（１０）ヘルメットで最も重要な頂部１２に衝撃吸収用のライナー５１０を設けることができることにより、好適な衝撃吸収性能を一層良好に確保することができるようになる。
【００８２】
（１１）通常、帽体１０の内部には、ハンモック５２０、ヘッドバンド５００、及び衝撃吸収用のライナー５１０，５３０，５４０等の内装が適切に配置される。そしてヘルメットは、帽体１０、及び上述の帽体内の内装との協働により所定の衝撃吸収性能が確保される。よって、本実施形態によるように、各内装をそれぞれ一つの分割体に設けさせることで、ヘルメットの構造が容易になる。また、ヘルメットの組み立て操作や折り畳み操作の際、分割体とその内装が、他の分割体や内装などと干渉する度合いも減らすことができるため、組み立て操作や折り畳み操作が簡単になる。また、各内装は、それぞれ一つの分割体に設けられているため、こうしたヘルメットの設計を容易にする。
【００８３】
（第２の実施形態）
折り畳みヘルメットが具体化された第２の実施形態について、図２１〜図２３に従って説明する。本実施形態の帽体７００は、分割体を回動可能に接続する連結部７１４，７２４の設けられる位置が、第１の実施形態の帽体１０の連結部２０，３０，４０とは相違する。そこで以下では、第１の実施形態との相違点を中心に説明し、説明の便宜上、同様の構成についてはその詳細な説明を割愛する。
【００８４】
図２２及び図２３に示すように、折り畳みヘルメットは、その外郭として中空半球状の帽体７００を備える。帽体７００は、帽体７００の入口である開放部７１２と、その中空半球の頂部である頂部７０１とを備える。また、帽体７００は、開放部７１２の周囲に外側に張り出す段部と、開放部７１２の前部から外側に張り出すひさし７１１とを備える。
【００８５】
帽体７００は、下部から順に、開放部７１２を含む環状の下部分割体７１０と、下部分割体７１０の頂部側に配置される環状の中部分割体７２０と、中部分割体７２０の頂部側に配置される椀状の上部分割体７３０とを備える。
【００８６】
隣接する下部及び中部分割体７１０，７２０の間には、下部及び中部分割体７１０，７２０を回転軸Ｃ７１を回動中心として回動可能に連結させる連結部７１４が設けられている。連結部７１４は、下部分割体７１０の側面中央７１３の上部と、中部分割体７２０の側面中央７２３の下部とを連結させている。詳述すると、連結部７１４は、下部分割体７１０に形成された軸穴７１７に、中部分割体７２０の軸芯７２８が嵌合されて構成される。同様の構成が、帽体７００の反対側の側面にも設けられており、回転軸Ｃ７１は、両側面の軸芯７２８を結ぶかたちに帽体７００に設けられている。そして、中部分割体７２０は、連結部７１４より前部の開放部側の開口縁部が下部分割体７１０の頂部側に上から当接して嵌合する形状になっているとともに、連結部７１４より後部の開放部側の開口縁部が下部分割体７１０の頂部側の内面に当接するようになっている。
【００８７】
また、隣接する中部及び上部分割体７２０，７３０の間には、中部及び上部分割体７２０，７３０を回転軸Ｃ７２を回動中心として回動可能に連結させる連結部７２４が設けられている。連結部７２４は、中部分割体７２０の側面中央７２３の上部と、上部分割体７３０の側面中央７３３の下部とを連結させている。詳述すると、連結部７２４は、中部分割体７２０に形成された軸穴７２７に、上部分割体７３０の軸芯７３８が嵌合されて構成される。同様の構成が、帽体７００の反対側の側面にも設けられており、回転軸Ｃ７２は、長側面の軸芯７３８を結ぶかたちに帽体７００に設けられている。そして、上部分割体７３０は、連結部７２４より前部の開放部側の開口縁部が中部分割体７２０の頂部側に上から当接して嵌合する形状になっているとともに、連結部７２４より後部の開放部側の開口縁部が中部分割体７２０の頂部側の内面に当接するようになっている。
【００８８】
下部分割体７１０の後部７１５には、下部分割体７１０に対する中部分割体７２０の位置を固定させる係止部７１６が設けられている。また、中部分割体７２０の後部７２５には、中部分割体７２０に対する上部分割体７３０の位置を固定させる係止部７２６が設けられている。つまり、中部分割体７２０は、係止部７１６にて下部分割体７１０に対する位置が固定され、上部分割体７３０は、係止部７２６にて中部分割体７２０に対する位置が固定されることで、組み立てられた帽体７００を構成する。
【００８９】
一方、係止部７２６による上部分割体７３０の中部分割体７２０に対する位置固定が解除されると、上部分割体７３０が回転軸Ｃ７２を回動中心にして図２２の矢印の方向に回転することで、後部７３５から順に中部分割体７２０の内部に移動する。そして、上部分割体７３０が略１８０°回転することで、中部分割体７２０に対してひっくり返ったかたちで収容されるようになる。これにより、帽体７００は、上部分割体７３０の高さの分だけ嵩が減る。なお、このとき、上部分割体７３０が中部分割体７２０の内部で回転が停止するように、上部分割体７３０の後部７３５は中部分割体７２０の前部の内側に当接する。
【００９０】
また、係止部７１６による中部分割体７２０の下部分割体７１０に対する位置固定が解除されると、中部分割体７２０が回転軸Ｃ７１を回動中心にして図２２の矢印の方向に回転することで、後部７２５から順に下部分割体７１０の内部に移動する。そして、中部分割体７２０が略１８０°回転することで、下部分割体７１０に対してひっくり返ったかたちで収容されるようになる。これにより、帽体７００は、さらに中部分割体７２０の高さの分だけ嵩が減る。なお、このとき、中部分割体７２０が下部分割体７１０の内部で回転が停止するように、中部分割体７２０の後部７２５は下部分割体７１０の前部の内側に当接する。
【００９１】
以上説明したように、本実施形態の折り畳みヘルメットによれば、先の第１の実施形態で記載した効果（１）〜（１１）に加え、以下に列記するような効果が得られるようになる。
【００９２】
（１２）中部分割体７２０の内部に上部分割体７３０を略収納させることができ、下部分割体７１０の内部に中部分割体７２０を略収納させることができるため、帽体７００の嵩を減らすことができるようになる。これにより、折り畳まれたとき、ヘルメットとしての嵩が減るようになる。
【００９３】
（その他の実施形態）
なお上記各実施形態は、以下の態様で実施することもできる。
・上記第１の実施形態では、第２〜４の分割体２００，３００，４００はそれぞれ、ヘッドバンド取付部１０３、停止部５０２、ヘッドバンド５００により回動が停止される場合について例示した。しかしこれに限らず、各分割体の回動を停止する構成が備わっていなくてもよいし、各分割体の回動を停止させる構成がその他の構造であってもよい。これにより、折り畳みヘルメットの設計自由度や、構成自由度が高められるようになる。
【００９４】
・上記第各実施形態では、帽体１０が組み立てられたとき、隣接する第１〜４の分割体１００，２００，３００，４００の間がそれぞれ嵌合される場合について例示した。しかしこれに限らず、必要とする衝撃吸収性能が確保されるのであれば、帽体が組み立てられたとき、隣接する分割体の間が、嵌合せず、重なるだけでもよい。これにより、折り畳みヘルメットの設計自由度や、構成自由度が高められるようになる。
【００９５】
・上記第１の実施形態では、帽体１０は４つの第１〜第４の分割体１００，２００，３００，４００から構成される場合について例示した。しかしこれに限らず、必要とする衝撃吸収性能を発揮することができるのであれば、帽体を構成する分割体の数は３つ以上であればいくつでもよい。例えば、第２及び第３の分割体を一体とさせることにより３つの分割体としてもよいし、第２又は第３の分割体をさらに分割して５つの分割体としてもよい。これにより、折り畳みヘルメットの設計自由度や、構成自由度が高められるようになる。
【００９６】
・上記第２の実施形態では、帽体７００は３つの分割体７１０，７２０，７３０から構成されている場合について例示した。しかしこれに限らず、必要とする衝撃吸収性能を発揮することができるのであれば、帽体を構成する分割体の数は３つ以上であればいくつでもよい。例えば、中部分割体７２０をさらに分割して４つの分割体としてもよい。これにより、折り畳みヘルメットの設計自由度や、構成自由度が高められるようになる。
【００９７】
・上記各実施形態では、係止部１５１の操作端１５３が引き上げられることで、爪部１５４による係止が解除される場合について例示した。しかしこれに限らず、係止部は操作端がその他の操作、例えば、スライドさせる操作や、押す操作や、回転させる操作などで、爪部による係止が解除されてもよい。
【００９８】
例えば、図２４に示すように、係止部１５５の操作端１５７が操作用凹部１５６の内部を後部１５０の外面に沿うように横移動されることで後部１５０の内部に突出されていた爪部１５８が引き上げられるようにしてもよい。これにより、折り畳みヘルメットの設計自由度が高められるようになる。
【００９９】
・上記各実施形態では、係止部１５１，２５１，３５１，７１６，７２６が帽体１０，７００の後部１５０，２５０，３５０，７１５，７２５に設けられている場合について例示した。しかしこれに限らず、係止部は、その分割体に対して上部に配置される分割体の回転移動を規制できるのであれば、後部以外の部分に設けられていてもよい。これにより、折り畳みヘルメットの設計自由度が高められるようになる。
【０１００】
・上記各実施形態では、係止部１５１，２５１，３５１，７１６，７２６が帽体１０，７００の連結部２０，３０，４０，７１４，７２４から離れた位置に設けられている場合について例示した。しかしこれに限らず、係止部は、その分割体に対して上部に配置される分割体の回転移動を規制することができるのであれば、離れた位置以外の位置、例えば連結部に近い位置に設けられていてもよい。これにより、折り畳みヘルメットの設計自由度が高められるようになる。
【０１０１】
・上記各実施形態では、係止部１５１，２５１，３５１，７１６，７２６が帽体１０，７００にそれぞれ１つ設けられている場合について例示した。しかしこれに限らず、係止部は、その分割体に対して上部に配置される分割体の回転移動を規制できるのであれば、２つ以上設けられていてもよい。これにより、折り畳みヘルメットの設計自由度が高められるようになる。
【０１０２】
・上記各実施形態では、係止部１５１，２５１，３５１，７１６，７２６は、それが設置される分割体に別部材として設けられている場合について例示した。しかしこれに限らず、係止部は分割体に一体成形されていてもよい。これにより、部品点数が少なくなったり、製造にかかる手間が軽減されたりするようになる。
【０１０３】
・上記各実施形態では、各分割体１００，２００，３００，７１０，７２０はそれぞれが備える係止部１５１，２５１，３５１，７１６，７２６によって頂部側の分割体を係止する場合について例示した。しかしこれに限らず、隣接する分割体同士の相対位置を固定することができるのであれば、係止部は隣接する分割体のうちのいずれか一方に設けられていてもよいし、両方に設けられていてもよいし、分割体とは別に設けられていてもよい。例えば、頂部側の分割体に設けられた係止部が頂部側の分割体を開放部側の分割体に係止させてもよい。また、例えば、分割体に固定されていない係止用のピンなどによって頂部側の分割体と開放部側の分割体との相対位置が固定されてもよい。これにより、折り畳みヘルメットの設計自由度が高められるようになる。
【０１０４】
・上記第１の実施形態では、頂部１２から開放部１１までの経路のうちの１つの弧状の経路に各連結部２０，３０，４０が配置される場合について例示した。しかしこれに限らず、各連結部を頂部から開放部へ順に並べることができるのであれば、各連結部が配置される頂部から開放部までの経路は、弧と直線とからなる経路や、直線の組み合わせからなる経路など、どのような形状の経路であってもよい。これにより、折り畳みヘルメットの設計自由度が高められるようになる。
【０１０５】
・上記第１の実施形態では、各連結部２０，３０，４０が頂部１２から開放部１１までの１つの弧状の経路に沿って配置されている場合について例示した。しかしこれに限らず、各連結部が前部と後部や、両側部に分散配置されていてもよい。例えば、下から順に、前部と後部とに１つもしくは複数毎に交互配置されてもよいし、不規則に配置されてもよい。これにより、折り畳みヘルメットの設計自由度が高められるようになる。
【０１０６】
・上記第１の実施形態では、第１の連結部２０は、第１の分割体１００に一体成形された連結板１１２及び軸芯１１３と、第２の分割体２００に一体成形された狭持板２１５，２１６及び軸穴２１７とを含み構成されている場合について例示した。しかしこれに限らず、第１の連結部は、第１の分割体と第２の分割体とを回動可能に連結できるのであれば、第１の分割体及び第２の分割体とは別に形成された部材であったり、第１の分割体及び第２の分割体のいずれか一方に一体成形された部材であったりしてもよい。また、第２の連結部３０の構成や、第３の連結部４０の構成についても、上述のように変形させてもよい。これにより、折り畳みヘルメットの設計自由度が高められるようになる。
【０１０７】
・上記第１の実施形態では、第１の連結部２０は、軸芯１１３が軸穴２１７に嵌め込まれて回動する場合について例示した。しかしこれに限らず、組み立てと折り畳みとに要する角度を回動させることができるのであれば、薄い板材による連結構造や、繊維材料による連結構造など、軸芯が軸穴に嵌め込まれる構造以外の構造であってもよい。また、第２の連結部３０の構成や、第３の連結部４０の構成についても、上述のように変形させてもよい。これにより、折り畳みヘルメットの設計自由度が高められるようになる。
【符号の説明】
【０１０８】
１０…帽体、１１…開放部、１２…頂部、１３…段部、１４…ひさし、２０…第１の連結部、３０…第２の連結部、４０…第３の連結部、１００…第１の分割体、２００…第２の分割体、３００…第３の分割体、４００…第４の分割体、２０１，３０１，４０１…開放部側開口縁部、１０２，２０２，３０２…頂部側開口縁部、１０３…ヘッドバンド取付部、１１０，２１０，３１０，４１０…前部、１１１，２１１，３１１…延出部、１１２，２１２，３１２…連結板、１１３，２１３，３１３…軸芯、２１５，３１５，４１５…狭持板、２１６，３１６，４１６…狭持板、２１７，３１７，４１７…軸穴、１３０，２３０，３３０，４３０…側部、２３１，３３１，４３１…嵌合部、１３２，２３２，３３２…嵌合部、４４０…頂上部、１５０，２５０，３５０，４５０…後部、１５１，２５１，３５１…係止部、１５２，２５２，３５２…操作用凹部、１５３，２５３，３５３…操作端、１５４，２５４，３５４…爪部、５００…ヘッドバンド、５０１…バンド係止部、５０２…停止部、５１０…第１のライナー、５２０…ハンモック、５３０…第２のライナー、５４０…第３のライナー、７００…帽体、７０１…頂部、７１０…分割体、７１０…下部分割体、７１１…ひさし、７１２…開放部、７１３…側面中央、７１４…連結部、７１５…後部、７１６…係止部、７１７…軸穴、７２０…分割体、７２０…中部分割体、７２３…側面中央、７２４…連結部、７２５…後部、７２６…係止部、７２７…軸穴、７２８…軸芯、７３０…上部分割体、７３０…分割体、７３３…側面中央、７３５…後部、７３８…軸芯、Ｌ２，Ｌ３，Ｌ４…移動経路、Ｃ２０，Ｃ３０，Ｃ４０，Ｃ７１，Ｃ７２…回転軸。
【図１】
2014234562.tif 000003
【図２】
2014234562.tif 000004
【図３】
2014234562.tif 000005
【図４】
2014234562.tif 000006
【図５】
2014234562.tif 000007
【図６】
2014234562.tif 000008
【図７】
2014234562.tif 000009
【図８】
2014234562.tif 000010
【図９】
2014234562.tif 000011
【図１０】
2014234562.tif 000012
【図１１】
2014234562.tif 000013
【図１２】
2014234562.tif 000014
【図１３】
2014234562.tif 000015
【図１４】
2014234562.tif 000016
【図１５】
2014234562.tif 000017
【図１６】
2014234562.tif 000018
【図１７】
2014234562.tif 000019
【図１８】
2014234562.tif 000020
【図１９】
2014234562.tif 000021
【図２０】
2014234562.tif 000022
【図２１】
2014234562.tif 000023
【図２２】
2014234562.tif 000024
【図２３】
2014234562.tif 000025
【図２４】
2014234562.tif 000026
【図２５】
2014234562.tif 000027